(57)【要約】【課題】スタッキングピッチを低減でき、かつブロッキングを緩和できる断熱性カップを提供する。【解決手段】断熱性カップ１Ａは、上方に向かって外径が徐々に広がるテーパー状に形成された筒状の側壁３と、側壁３の下端部を塞ぐ底壁４とを有する容器本体２と、下端部７ｂが内向きに丸められることによって形成され側壁３の中間に位置する下カール部８を有し、容器本体２の側壁３の外周に装着された断熱スリーブ７と、断熱スリーブ７の下カール部８よりも上方に位置し、その位置よりも容器本体２の側壁３の上部が下部に対して外側に膨らむように側壁３に形成された第１段差部１１とを備える。【選択図】図１
2013249118.tif 000002
【特許請求の範囲】
【請求項１】
上方に向かって外径が徐々に広がるテーパー状に形成された筒状の側壁と、前記側壁の下端部を塞ぐ底壁とを有する容器本体と、
下端部が内向きに丸められることによって形成され前記側壁の中間部に位置する下カール部を有し、前記容器本体の前記側壁の外周に装着された断熱スリーブと、
前記断熱スリーブの前記下カール部よりも上方に位置し、その位置よりも前記容器本体の前記側壁の上部が下部に対して外側に膨らむように前記側壁に形成された段差部と、
を備えた断熱性カップ。
【請求項２】
前記底壁から垂直に延びる垂線に対する前記側壁の傾きであるテーパー角度が、前記段差部の上下で異なっていることを特徴とする請求項１に記載の断熱性カップ。
【請求項３】
前記容器本体の側壁面に、前記断熱スリーブの前記下カール部よりも上方に位置する前記段差部が２つ以上設けられており、
二つ以上の前記段差部のうち、最も上方に位置する前記段差部に対して前記断熱スリーブの上端部が突き当てられるようにして、前記断熱スリーブが前記側壁の外周に装着されていることを特徴とする請求項１又は２に記載の断熱性カップ。
【請求項４】
前記断熱スリーブの上端部と前記下カール部との間には、前記断熱スリーブの前記上端部から前記下カール部へ向かう方向に関して、前記側壁から離れる方向に前記断熱スリーブの外径が拡大する段差部が設けられていることを特徴とする請求項１〜３のいずれか一項に記載の断熱性カップ。
【発明の詳細な説明】
【技術分野】
【０００１】
本発明は、テーパー状の側壁の下端が底壁で塞がれた容器本体に断熱スリーブが装着された断熱性カップに関する。
【背景技術】
【０００２】
カップ状の容器本体の外周に筒状の断熱スリーブが装着され、断熱スリーブと容器本体との間に形成される空隙によって断熱効果を得る断熱性カップが周知である（例えば特許文献１参照）。
【先行技術文献】
【特許文献】
【０００３】
【特許文献１】特開２００１−３９４３１号公報
【発明の概要】
【発明が解決しようとする課題】
【０００４】
特許文献１に記載された断熱性カップは、断熱スリーブがカップ状の容器本体の外周に装着されているため、二つの断熱性カップを互いに重ね合わせた際の上端間距離（スタッキングピッチ）が通常の紙カップを重ねる場合と比べて大きくなる問題がある。また、スタッキングピッチを小さくするために上に重ねた断熱性カップを押し込むと相手側の容器本体の内側に断熱スリーブの下端が食い込む楔効果が発生して、上に重ねた断熱性カップが抜け難くなるいわゆるブロッキングが生じる問題もある。
【０００５】
そこで、本発明は、断熱性カップを重ねた際に、スタッキングピッチを低減でき、かつブロッキングを緩和できる断熱性カップを提供することを目的とする。
【課題を解決するための手段】
【０００６】
本発明の断熱性カップは、上方に向かって外径が徐々に広がるテーパー状に形成された筒状の側壁（３）と、前記側壁の下端部を塞ぐ底壁（４）とを有する容器本体（２）と、下端部（７ｂ、２７ｂ）が内向きに丸められることによって形成され前記側壁の中間に位置する下カール部（８、２８）を有し、前記容器本体の前記側壁の外周に装着された断熱スリーブ（７、２７）と、前記断熱スリーブの前記下カール部よりも上方に位置し、その位置よりも前記容器本体の前記側壁の上部が下部に対して外側に膨らむように前記側壁に形成された段差部（１１）と、を備えたものである（請求項１）。
【０００７】
この断熱性カップによれば、容器本体の側壁に形成された段差部によって、段差部よりも上方の側壁が外径方向に拡大する。そのため、断熱性カップを重ね合わせる際に、上に重ねる断熱性カップが段差部が存在しない場合よりも深く入り込む。これにより、スタッキングピッチが短縮する。また、断熱性カップを重ね合わせる際に、下にある断熱性カップの段差部が、上にある断熱性カップの断熱スリーブの下カール部を支えるようになる。そのため、上に重ねた断熱性カップが下にある断熱性カップに食い込むブロッキングが緩和される。また、断熱スリーブの下カール部が側壁の中間に位置し、下カール部と段差部との間に空隙が形成される。そのため、使用者が持つであろう位置に空隙が存在することになり断熱効果が向上する。しかも、この空隙は高さ方向に短いので、使用者が持つ際に断熱スリーブが撓みにくくなり空隙が容易に減少しない。なお、側壁の全面を断熱スリーブで覆う場合に比べて断熱スリーブが短くて済むので、使用材料を低減できる。
【０００８】
本発明の断熱性カップの一態様として、前記底壁から垂直に延びる垂線（Ｌｎ）に対する前記側壁の傾きであるテーパー角度が、前記段差部の上下で異なっていてもよい（請求項２）。段差部の上下でテーパー角度を同じにするためには、段差部の上部を膨らませかつ段差部の下部を絞る加工が必要となる。この態様によれば、容器本体の側壁のテーパー角度が容器本体の段差部の上下で異なっていて前記のような加工が不要であるため、例えば段差部の上部を膨らませる加工で足りる。したがって、この態様の断熱性カップは加工がし易く設計も容易である。
【０００９】
本発明の断熱性カップの一態様として、前記容器本体の側壁面に、前記断熱スリーブの前記下カール部よりも上方に位置する前記段差部が２つ以上設けられており、二つ以上の前記段差部のうち、最も上方に位置する前記段差部（１２）に対して前記断熱スリーブの上端部（７ａ、２７ａ）が突き当てられるようにして、前記断熱スリーブが前記側壁の外周に装着されてもよい（請求項３）。この態様によれば、側壁の最も上方の段差部に断熱スリーブの上端部が位置し、断熱スリーブの高さ方向の寸法が短くなるので、使用材料を一層低減できる。
【００１０】
本発明の断熱性カップの一態様として、前記断熱スリーブの上端と前記下カール部との間には、前記断熱スリーブの前記上端部から前記下カール部へ向かう方向に関して、前記側壁から離れる方向に前記断熱スリーブの外径が拡大する段差部（２９）が設けられてもよい（請求項４）。この態様によれば、断熱スリーブに設けられた段差部によって、容器本体の側壁の段差部よりも上方の領域に空隙を確実に確保できる。
【００１１】
なお、本発明の理解を容易にするために添付図面の参照符号を括弧書きにて付記したが、それにより本発明が図示の形態に限定されるものではない。
【発明の効果】
【００１２】
以上説明したように、本発明の断熱性カップよれば、容器本体の側壁に段差部が形成されているため、断熱性カップを重ねた際に、スタッキングピッチが短縮するとともに、上に重ねた断熱性カップが下にある断熱性カップに食い込むブロッキングが緩和される。また、断熱スリーブの下カール部が側壁の中間に位置し、下カール部と段差部との間に空隙が形成されるため、使用者が持つであろう位置に空隙が存在することになり断熱効果が向上する。しかも、この空隙は高さ方向に短いので、使用者が持つ際に断熱スリーブが撓みにくくなり空隙が容易に減少しない。更に、側壁の全面を断熱スリーブで覆う場合に比べて断熱スリーブが短くて済むので、使用材料を低減できる。
【図面の簡単な説明】
【００１３】
【図１】本発明の第１の形態に係る断熱性カップをその一部を切除して示した正面図。
【図２】図１の断熱性カップの一部を拡大して示した部分拡大図。
【図３】二つの図１の断熱性カップを重ね合わせた状態を示した説明図。
【図４Ａ】第１段差部の形成方法を説明する図であって、第１段差部の形成前の状態を示した図。
【図４Ｂ】第１段差部の形成方法を説明する図であって、第１段差部の具体的形成方法を示した図。
【図４Ｃ】第１段差部の形成方法を説明する図であって、第１段差部の形成後の状態を示した図。
【図５】第１段差部の上下でテーパー角度を同じにする場合の加工方法を説明する説明図。
【図６】本発明の第２の形態に係る断熱性カップをその一部を切除して示した正面図。
【図７】図６の断熱性カップの一部を拡大して示した部分拡大図。
【図８】二つの図６の断熱性カップを重ね合わせた状態を示した説明図。
【発明を実施するための形態】
【００１４】
（第１の形態）
図１に示したように、断熱性カップ１Ａは上部が開口した容器本体２を備えている。容器本体２は一般的な紙カップと同じ材料で構成されている。容器本体２は上方に向かって外径が徐々に広がるテーパー状に形成された筒状の側壁３を有しており、その側壁３の下部は底壁４にて塞がれている。側壁３と底壁４とは、底壁４の下方に曲がった周縁部４ａを側壁３の下端部３ｂによって包み込むようにして、一般的な紙カップと同様にヒートシール法で互いに接合されている。側壁３の上端部３ａには外向きに丸められた外カール部５が形成されている。
【００１５】
容器本体２の側壁３の外周には断熱スリーブ７が装着されている。断熱スリーブ７はコートボール等の紙を素材としている。断熱スリーブ７の下端部７ｂには内向きに丸められた下カール部８が設けられている。下カール部８は側壁３の中間部に、すなわち容器本体２の高さを１として、容器本体２の下端から１／３〜２／３の範囲内に位置する。
【００１６】
容器本体２の側壁３には、下カール部８の上方に位置する第１段差部１１が形成されている。第１段差部１１の形成位置よりも側壁３の上部は下部に対して外側に膨らんでいる。第１段差部１１の上方には第２段差部１２が設けられており、その第２段差部１２に対して断熱スリーブ７の上端部７ａが突き当てられている。そのため、第２段差部１２に断熱スリーブ７の上端部７ａが位置し、断熱スリーブ７の高さ方向の寸法が外カール部５に上端部７ａを突き当てる場合よりも短くなるので使用材料を低減できる。なお、断熱スリーブ７の上端部７ａは側壁３に接着されている。
【００１７】
図２にも示したように、第１段差部１１と断熱スリーブ７の下カール部８との間には空隙Ｓが形成される。そのため、使用者が持つであろう位置に空隙が存在することになり断熱効果が向上する。空隙Ｓの高さ方向の寸法が大きくなるほど、断熱スリーブ７が側壁３に支持されない部分が大きくなるので、断熱スリーブ７の半径方向の撓みが大きくなる関係がある。したがって、第１段差部１１の位置は、第１段差部１１と断熱スリーブ７の下カール部８との間に形成される空隙Ｓの大きさが、断熱スリーブ７の剛性を損なわない程度に小さく、かつ断熱性を確保できる程度に大きくなるように設定されている。換言すれば、空隙Ｓの大きさは断熱スリーブ７の撓みによって空隙Ｓが減少しない程度に設定される。このように、空隙Ｓは高さ方向に比較的短いので使用者が断熱性カップ１Ａを持つ際に断熱スリーブ８が撓みにくくなり空隙Ｓが容易に減少しない。また、側壁３の全面を不図示の断熱スリーブで覆う場合に比べて断熱スリーブ８が短くて済むので、使用材料を低減できる。
【００１８】
図３に示すように、二つの断熱性カップ１Ａを上下に重ね合わせた場合、下の断熱性カップ１Ａの側壁３が第１段差部１１によって径方向外側に広がっているため、第１段差部１１が存在しない場合に比べて、上の断熱性カップ１Ａが深く入り込む。このため、スタッキングピッチＰが短縮する。また、この際に、下にある断熱性カップ１Ａの第１段差部１１が、上にある断熱性カップ１Ａの断熱スリーブ７の下カール部８を支えるようになる。そのため、上に重ねた断熱性カップ１Ａが下にある断熱性カップ１Ａに食い込むブロッキングが緩和される。
【００１９】
図４Ａ〜図４Ｃに示すように、第１段差部１１は、その形成位置よりも上部の側壁３を径方向外側に膨らませる加工（図４Ｂの破線部）を施すことにより形成される。この加工は、例えば回転型を側壁３に押し当てる加工で実現できる。これにより、側壁３の第１段差部１１よりも下部のテーパー角度θｄは、加工前のテーパー角度θ（図４Ａ）と同じで、段差部１１よりも上部のテーパー角度θｕは、下部のテーパー角度θｄよりも小さくなる。つまり、段差部１１の上下でテーパー角度が異なる。図４Ｃに示したように、上記の各テーパー角度θ、θｄ、θｕは底壁から垂直に延びる垂線Ｌｎに対する側壁３の傾きとして定義される。
【００２０】
第１段差部１１の上下でテーパー角度を同じにすることも可能である。しかし、図５に矢印で示すように、段差部１１の形成位置の上部を膨らませ、かつ形成位置の下部を絞る加工を行う必要があるので、加工及び設計が困難になる問題がある。従って、本形態のように、第１段差部１１の上下でテーパー角度を異ならせる方が加工及び設計が容易になる利点がある。
【００２１】
（第２の形態）
次に、図６〜図８を参照しながら第２の形態を説明する。第２の形態は断熱スリーブ２７の形状を除いて第１の形態と同一である。したがって、第１の形態と共通する構成には同一の参照符号を図面付して説明を省略する。断熱性カップ１Ｂに設けられた断熱スリーブ２７は、その下端部２７ｂが内向きに丸められた下カール部２８を有している。下カール部２８は、第１の形態と同様に側壁３の中間に位置し、断熱スリーブ２７の上端部２７ａは第２段差部１２に突き当てられている。また、断熱スリーブ２７には、その上端部２７ａにおいて側壁３から離れる方向に外径が拡大する段差部２９が設けられている。これにより、図７に示すように、断熱スリーブ２７の上端部２７ａが側壁３と平行になり接触幅Ｗが第１の形態の場合（図２参照）よりも増えるので、断熱スリーブ２７の側壁３に対する接着性が向上する。また、空隙Ｓに加えて、この段差部２９と側壁３の第１段差部１１との間に空隙Ｓ′を確実に確保できるため、断熱性が第１の形態よりも向上する利点がある。図８に示したように、断熱性カップ１Ｂを上下に重ね合わせる場合においても、第１段差部１１によって側壁３が径方向外側に広がり、かつ下にある断熱性カップ１Ｂの第１段差部１１によって上にある断熱スリーブ２７の下カール部２８を支えるようになる。したがって、第１の形態と同様にスタッキングピッチＰを短縮でき、かつブロッキングを緩和することができる。
【００２２】
本発明は上記の形態に限定されず、種々の形態にて実施してよい。上記の各形態では容器本体及び断熱スリーブのいずれも紙を素材としているが、これらを紙以外の素材、例えばプラスチック等の非紙材料で構成することも可能である。また、上記各形態では、側壁に二つの段差部を設けているが、第２段差部は必須ではない。従って上記各形態の第２段差部を省略し、断熱スリーブの上端部を容器本体の外カール部に突き当てるようにして断熱スリーブを装着することも可能である。また、側壁に設ける段差部の数に制限はなく、３つ以上の段差部を設けることも可能である。
【符号の説明】
【００２３】
１Ａ、１Ｂ  断熱性カップ
２  容器本体
３  側壁
４  底壁
７、２７  断熱スリーブ
７ａ、２７ａ  上端部
７ｂ、２７ｂ  下端部
８、２８  下カール部
１１  第１段差部（段差部）
１２  第２段差部（最も上方に位置する段差部）
２９  段差部
Ｌｎ  垂線
【図１】
2013249118.tif 000003
【図２】
2013249118.tif 000004
【図３】
2013249118.tif 000005
【図４Ａ】
2013249118.tif 000006
【図４Ｂ】
2013249118.tif 000007
【図４Ｃ】
2013249118.tif 000008
【図５】
2013249118.tif 000009
【図６】
2013249118.tif 000010
【図７】
2013249118.tif 000011
【図８】
2013249118.tif 000012